(57)【特許請求の範囲】
【請求項１】
保持機構を内設した収納凹所を有する容器本体と、化粧用鏡を貼着した蓋体との各後端部を枢着して蝶番部を形成してなるコンパクト容器であって、前記保持機構と係着する係着機構を備えた棒状の照明具が前記収納凹所内に嵌脱自在に収納されるとともに前記係着機構は前記蓋体の周壁に着脱可能であることを特徴とする照明具付きコンパクト容器。
【請求項２】
収納凹所を有する容器本体と、係止機構を有し化粧用鏡を貼着した蓋体との各後端部を枢着して筒状の蝶番部を形成してなるコンパクト容器であって、前記係止機構と係着する係着機構を両端に備えた棒状の照明具が前記蝶番部内に同軸に設けた収納洞内に嵌脱自在に収納されるとともに前記蓋体内に着脱可能に装着されることを特徴とする照明具付きコンパクト容器。
【発明の詳細な説明】
【０００１】
【産業上の利用分野】
本発明は、暗い場所でも化粧ができる照明付きコンパクト容器に関する。
【０００２】
【従来の技術】
照明付きコンパクト容器は、従来より多くの提案がなされているが、照明機構の設置箇所の制約から使い勝手がわるかったり、照明機構が複雑で高価になり、経済的な量産に沿わないものが多い。
【０００３】
例えば、実公昭４５ー１５８８０号公報に開示された照明付きコンパクト容器は、図３に示すように、容器本体５１の蝶番形成部５２と蓋体５３の透明材料からなる蝶番形成部５４とで組成された蝶番部に同軸の透孔５５を設け、この透孔５５に照明灯と乾電池を収納した懐中電灯状の軸心を嵌挿し、軸心のキャップ５６をスイッチとして蓋体５３の透明な蝶番形成部５４から顔面を照明するもので、蓋体５３の内側にある鏡５７の傾斜により照射角度を決めるというものである。
【０００４】
また、実公昭４５ー２０６７０号公報には、図４に示すように、容器本体５１の蝶番形成部５２と蓋体５３の蝶番形成部５４との当接面５８に接点子を設け、蝶番部５２，５４内を乾電池ホルダーとしてリード線で接続した照明灯５９を蓋体５３の先端部に設けたものであり、蓋体５３を開くと自動的に点灯するという照明付きコンパクト容器が開示されている。
【０００５】
【発明が解決しようとする課題】
しかしながら、前者従来の照明付きコンパクト容器は、照明装置がシンプルに構成されているものの、鏡５７の下方に光源が位置し、利用者の鏡５７を見る目線の下方から照射される光は、鏡に写る映像に不自然な陰影を造形し、化粧がやりにくかった。
【０００６】
また、後者従来の照明付きコンパクト容器は、化粧のし易い位置に照明灯５９が設置されてはいるが、照明灯５９と電源とが蓋体５３と蝶番５２，５４とに分かれて設置されているため組立作業が複雑であり、更に、開蓋すると明るい場所でも自動的に点灯してしまうという甚だ不経済なものである。
【０００７】
本発明は、上記の問題に鑑みてなされたもので、照明装置がバランスよく設置され、化粧がし易く取り扱い操作性のよい製造容易な照明具付きコンパクト容器にすることを課題にしている。
【０００８】
【課題を解決するための手段】
本発明の請求項１に係る照明具付きコンパクト容器は、保持機構を内設した収納凹所を有する容器本体と、化粧用鏡を貼着した蓋体との各後端部を枢着して蝶番部を形成してなるコンパクト容器であって、前記保持機構と係着する係着機構を備えた棒状の照明具が前記収納凹所内に嵌脱自在に収納されるとともに前記係着機構は前記蓋体の周壁に着脱可能であることを特徴としている。
【０００９】
本発明の請求項２に係るコンパクト容器は、収納凹所を有する容器本体と、係止機構を有し化粧用鏡を貼着した蓋体との各後端部を枢着して筒状の蝶番部を形成してなるコンパクト容器であって、前記係止機構と係着する係着機構を両端に備えた棒状の照明具が前記蝶番部内に同軸に設けた収納洞内に嵌脱自在に収納されるとともに前記蓋体内に着脱可能に装着されることを特徴としている。
【００１０】
【作用】
前記請求項１に係る照明具付きコンパクト容器においては、広く開口された収納凹所内に照明具を着脱自在に収納したので、収納箇所での照明具の取り付け取り外しが容易であるとともに、取り外した照明具を蓋体に取り付けて化粧をするので、光源の位置が高くなる。
【００１１】
前記請求項２に係る照明具付きコンパクト容器においては、デットスペースの蝶番部内に照明具を嵌脱自在に収納したので、広い化粧用のスペースが確保できるとともに、取り外した照明具を蓋体に取り付けて化粧をするので、光源の位置が高くなる。
【００１２】
【実施例】
以下、本発明の実施例を添付図面を参照しながら詳細に説明する。
【００１３】
図１は、本発明に係る照明具付きコンパクト容器の第一実施例を示すもので、本実施例の照明具付きコンパクト容器は、収納凹所２を有する容器本体１と、この容器本体１の上面を覆い化粧用鏡１１を貼着した蓋体１０と、前記容器本体１に収納された照明具２０とから構成されている。
【００１４】
図に示すように、容器本体１は、底板５の周縁に周壁６を立設した扁平な箱体に形成され、後壁中央部に容器本体１側の蝶番４を形成する凹所４ａが設けられ、前壁中央部には蓋体１０のフック１３と係止する突起７ａが突設された凹所７が設けられ、仕切壁８によって化粧料Ｋを収納する収納室とパフ等の化粧具（図示せず）を収納する収納凹所２とに区画形成されている。
【００１５】
そして、前記収納凹所２内にあって仕切壁８と対向する側壁９の近傍には、底板５から板状の二枚の保持機構３，３が前後方向に前記側壁９に沿って一体に立設され、この保持機構３，３の板厚は蓋体１０の前壁１６の厚みと同厚に形成されている。
【００１６】
一方、前記蓋体１０は、天板１４の周縁から垂設された周壁１２に囲まれた浅い皿状に形成され、天板１４の内面全域に化粧用鏡１１が貼着され、前壁１６の下端には容器本体１の突起７ａと係合して閉塞を維持する前壁１６に沿った寸法Ｓを有するフック１３が一体に垂設されているとともに、後端壁からは蓋体１０側の蝶番１５が垂設され前記容器本体１の凹所４ａに嵌挿軸着されて蝶番部Ｃが形成されている。
【００１７】
また、前記照明具２０は、棒状の小形の懐中電灯様に形成され、一端部の側面にレンズ２１が形成された筒状の本体２４内に電球や発光ダイオードからなる光源と乾電池（図示せず）が装備されているとともに、他端に嵌合されたキャップ２２がスイッチを構成している。
【００１８】
そして、前記本体２４の側面には、前記蓋体の１０のフック１３の寸法Ｓの間隔を置いて二つの係合片からなるＵ字溝状の係着機構２３，２３が突設され、容器本体１の収納凹所２の保持機構３，３に弾性的に挟着して、照明具２０が収納凹所２内に収納保持されるようになっている。
【００１９】
以上のように構成された本実施例の照明具付きコンパクト容器にあっては、これを使用するときは、照明具２０を収納凹所２から引き抜いて保持機構３，３から取り外し、係着機構２３，２３の間に蓋体１０のフック１３を挟んで蓋体１０の前壁１６外側に取り付け、キヤップ２２（スイッチ）を回して点灯するものである。
【００２０】
照明具２０が収納されている収納凹所２は広く開口しているので、収納箇所での照明具２０の取り出し取り付け操作が容易である。また、照明具２０の係着機構２３，２３の間に蓋体１０のフック１３を挟んで蓋体１０の前壁１６外側に取り付ける構成としたので、取り付けられた照明具２０はがたつきがなく固定され、且つ、照明具２０は開いた蓋体１０の先端部に位置するので化粧時の光源の位置が高くなって化粧のやり易い照明ができる。
【００２１】
本実施例の照明具付きコンパクト容器にあっては、照明灯２０は別体に具えられており、コンパクト容器の蓋体１０に複雑な照明装置を組み込むことがないので、製造が容易てあり、従って、安価になるとともに、蓋体１０が照明装置によって厚くなって見映えがわるくなったり、蓋体１０の重みによって蓋体１０のフリーストップ性（任意の位置で停止すること）が阻害されて失われてしまうこともない。
【００２２】
図２は、本発明に係る照明具付きコンパクト容器の第二実施例を示すもので、図において、上記第一実施例と共通する部分については同一符合を付してその説明を省略する。
【００２３】
同図に示すように、この第二実施例に係る照明具付きコンパクト容器は、薄肉の筒状に形成された蝶番４，１５にこれらと同軸に連結筒１７が挿嵌されて蝶番部Ｃが構成され、この連結筒１７内が収納洞１８となって照明具２０を嵌脱自在に収納している。
【００２４】
前記照明灯具２０は、その両端面の中央部に凹窪又は突起からなる係着機構２５が設けられており、蓋体１０内一端側の近傍の前後には前記照明具２０の係着機構２５に対応する蓋体１０側の係止機構２６が設けられ、照明灯２０のレンズ２１を前方にして蓋体１０内に係着して使用するようになっている。
【００２５】
本実施例の照明具付きコンパクト容器によれば、デットスペースの蝶番部Ｃ内に照明具２０を嵌脱自在に収納したので、広い化粧用のスペースが確保できるとともに、取り外した照明具２０は蓋体１０の周壁１２によって弾性的に挟着されるので蓋体１０内にがたつきなく着脱可能に装着されるとともに、光源の位置が高いので化粧がし易い照明ができるものである。
【００２６】
【発明の効果】
本発明の照明具付きコンパクト容器によれば、コンパクト容器と照明具とを分離可能とし、且つ照明具を蓋体に取り付けて照明する構成としたので、コンパクト容器の蓋体に複雑な照明装置を組み込む作業がなくなって製造が容易、且つ安価になるとともに、蓋体が厚くなって見映えがわるくなったり、蓋体の重みによって蓋体のフリーストップ性が失われてしまうことがない。そして、化粧時の光源の位置が高くなって化粧のやり易い照明ができる。
【００２７】
更に、請求項１に記載の照明具付きコンパクト容器によれば、上記の効果に加え、広く開口された収納凹所内に照明具を着脱自在に収納したので、収納箇所での照明具の取り付け取り外しが容易であるとともに、照明具は、その係着機構の間に蓋体のフックを挟んで蓋体の前壁外側に取り付ける構成としたので、取り付けられた照明具ががたつくことなく固定され、且つ広い鏡の全域を利用して化粧ができる。
【００２８】
また、請求項２に記載の照明具付きコンパクト容器によれば、デットスペースの蝶番部内に照明具を嵌脱自在に収納し、且つこの照明具を取り出して蓋体内に装着するようにしたので、化粧のし易い高い位置から照明を受けながら広く確保された化粧用のスペースが利用でき、使い勝手の良いコンパクト容器である。
【図面の簡単な説明】
【図１】本発明の化粧具付きコンパクト容器の第一実施例を示すもので、開蓋し使用状態にある斜視図。
【図２】本発明の化粧具付きコンパクト容器の第二実施例を示すもので、開蓋し使用状態にある斜視図。
【図３】従来の照明付きコンパクト容器を示す開蓋状態の斜視図。
【図４】従来の別の照明付きコンパクト容器を示す開蓋状態の斜視図。
【符号の説明】
１  容器本体，２  収納凹所，３  保持機構，１０  蓋体，１１  化粧用鏡，１２  周壁，１８  収納洞，２０  照明具，２３  係着機構，２５  係着機構，２６  係止機構，Ｃ  蝶番部
【図１】
0003745414.tif 000002
【図２】
0003745414.tif 000003
【図３】
0003745414.tif 000004
【図４】
0003745414.tif 000005